(57)【要約】    【課題】  フットスイッチは押圧してマイクロスイッチを入力させるものであるが、足によつて過大な荷重をかけると破壊したりトラブルの発生が懸念されるものである。    【解決手段】  皿状のボディ１と、スプリング受け部材２と、主コイルスプリング３と、カム部材基部４ａとカム部４ｂとカム側操作部４ｃを有したカム部材４と、マイクロスイッチ釦５ｂと板状スプリング操作部５ａと接続端子５ｃを突設したマイクロスイッチ５と、配線コード６と、ボタン側カム部７ａとストッパー７ｂを形成したカムボタン７と、ストッパー受け部８ｃと円筒部８ａと鍔部８ｂとを形成したカムカバー８と、補助コイルスプリング９と、環状リブ１０ａ．１０ｂ．環状リブ１０ｃを突設したフットボタン１０と、抜け止め突起１０ｄと、開口部１１ａを開口させてボディ１と合着するキャップ１１と、を備えたものである。【選択図】  図１
0003109938.tif 000002
【実用新案登録請求の範囲】
【請求項１】
皿状のボディと、該ボディの底面の略中央に組み込むスプリング受け部材と、該スプリング受け部材に立設した短円柱状のスプリング受けリブと、該スプリング受けリブの外周へ上方を突出させて捲着させ上方向に弾性を付与する主コイルスプリングと、該主コイルスプリングの上方に回動可能に嵌着させたカップ状のカム部材基部を有したカム部材と、該カム部材の外周縁部へ上向きの鋸刃状に形成したカム部と、該カム部の基端側の胴周に複数の山型に膨出させたカム側操作部と、該カム側操作部と接触可能な板状スプリング操作部と、該板状スプリング操作部で押圧可能なマイクロスイッチ釦と、該マイクロスイッチ釦と前記板状スプリング操作部とを突設して固定したマイクロスイッチと、該マイクロスイッチの一対の接続端子に接続し前記ボディから外に延設した配線コードと、前記カム部と噛合するボタン側カム部を下向きの鋸刃状に形成したカップ状のカムボタンと、該カムボタンのボタン側カム部の外周に複数膨出させた回り止め兼抜け止めのためのストッパーと、該ストッパーを挿通させるストッパー受け部を内周に刻設すると共に前記カムボタンを摺動可能に貫通させた円筒部と平坦状の鍔部を形成したカムカバーと、該鍔部の上側に上方に弾性を付与するように装着した補助コイルスプリングと、該補助コイルスプリングの上端を装着する第１の環状リブとカムカバーの円筒部の頂部に当接する第２の環状リブとカムボタンの頂部を押圧する第３の環状リブとを下面に突設したドーム状のフットボタンと、該フットボタンの外周に膨出させた抜け止め突起と、該抜け止め突起を内周縁部に当接し下方向に摺動可能に貫通させる開口部を略中央に開口させて前記ボディと合着するキャップと、を備えたことを特徴とするフットスイッチ。
【請求項２】
前記マイクロスイッチの一対の接続端子に夫々リード線の一端を接続し、該夫々のリード線の他端にオンオフを表示する表示灯を接続し、該表示灯を外部から目視できる窓部を前記キャップに設けたことを特徴とする請求項１に記載のフットスイッチ。
【考案の詳細な説明】
【技術分野】
【０００１】
本考案はフットスイッチに関するものであって、更に詳細には、床面や平坦な場所に載置し、又は、側壁等に固定し、コードの先端に接続された電気機器の電源を上方向から又は横方向から押圧又は解除することでオンオフさせるフットスイッチに関するものである。
【背景技術】
【０００２】
従来から、この種のフットスイッチは各種開発されており、短時間で可動停止を繰り返すミシンや医療器、工作機器、公衆トイレの開閉扉等の電気機器のスイッチとして用いられているものであり、殆どは足で押圧する可動部位と固定した基台とを枢動させてマイクロスイッチのオンオフをさせるように構成させており、オンオフの加減を足で判断するには微妙な感覚を必要としていた。
【０００３】
その為、先に開示されている押しボタンタイプのものとして、基台と、この基台の上に設置されたマイクロスイッチと、このマイクロスイッチの釦の上方に設置され押し下がったときに上記釦を操作する突起を有したスイッチ押し部材と、このスイッチ押し部材をマイクロスイッチの釦から退避する向きに付勢する付勢手段と、上記カバー部材と上記スイッチ押し部材とを係合しその両者のずれを防止する係合手段とを具備したもの（特許文献１参照）や、押し釦スイッチとして、フランジ部の一側に段差部を設け、ケースの前面パネルの裏側との間に非当接部を形成し、挿入時に前傾させたもの（特許文献２参照）や、カムを用いた押し釦スイッチとして、押し釦スイッチと両スイッチプランジャとの間に、回動リングによって回動操作可能、かつ、押しボタンによってスイッチ操作方向に押圧移動可能な回動カムを設けるとともに、各スイッチプランジャをそれぞれバネで復帰付勢して回動カムに当接支持させるように構成したもの（特許文献３参照）等が開示されている。
【特許文献１】実開昭６３−３２４１８号公報
【特許文献２】特開平７−２６２８７１号公報
【特許文献３】特許第２８４７９５０号公報
【考案の開示】
【考案が解決しようとする課題】
【０００４】
然し乍ら、先に開示された、基台と、この基台の上に設置されたマイクロスイッチと、このマイクロスイッチの釦の上方に設置され押し下がったときに上記釦を操作する突起を有したスイッチ押し部材と、このスイッチ押し部材をマイクロスイッチの釦から退避する向きに付勢する付勢手段と、上記カバー部材と上記スイッチ押し部材とを係合しその両者のずれを防止する係合手段とを具備したものでは、この種のフットスイッチは足で押圧することから過大な荷重が係ると共に、マイクロスイッチは僅かな荷重で入力するもので、この荷重差を処理することが、トラブルの無いフットスイッチとするものであるが、前述は簡易な構造であるが経時の使用にトラブルが発生する可能性を有している。
【０００５】
更に、押し釦スイッチとして、フランジ部の一側に段差部を設け、ケースの前面パネルの裏側との間に非当接部を形成し、挿入時に前傾させたものでは、押圧してマイクロスイッチを入力させるものであるが、足のような過大な荷重をかけると破壊する可能性があった。
【０００６】
更には、カムを用いた押し釦スイッチとして、押し釦スイッチと両スイッチプランジャとの間に、回動リングによって回動操作可能、かつ、押しボタンによってスイッチ操作方向に押圧移動可能な回動カムを設けるとともに、各スイッチプランジャをそれぞれバネで復帰付勢して回動カムに当接支持させるように構成したものも、マイクロスイッチに入力するものであり、過大な荷重をかけるとトラブルの発生が懸念されるものである。
【課題を解決するための手段】
【０００７】
本考案のフットスイッチは、前述の課題に鑑み、鋭意研鑽の結果、ボディと、ボディの底面に組み込むスプリング受け部材と、スプリング受け部材に立設したスプリング受けリブと、該スプリング受けリブの外周へ捲着させ上方向に弾性を付与する主コイルスプリングと、主コイルスプリングに回動可能に嵌着させたカム部材基部を有したカム部材と、カム部材へ形成したカム部と、カム部の胴周に複数膨出させたカム側操作部と、カム側操作部と接触可能な板状スプリング操作部と、板状スプリング操作部で押圧可能なマイクロスイッチ釦と、マイクロスイッチ釦と板状スプリング操作部とを突設して固定したマイクロスイッチと、マイクロスイッチの一対の接続端子に接続しボディから外に延設した配線コードと、カム部と噛合するボタン側カム部を形成したカムボタンと、カムボタンのボタン側カム部に複数膨出させたストッパーと、ストッパーを挿通させるストッパー受け部を刻設すると共にカムボタンを貫通させた円筒部と鍔部を形成したカムカバーと、鍔部の上側に装着した補助コイルスプリングと、補助コイルスプリングを装着する第１の環状リブと第２の環状リブと第３の環状リブとを突設したフットボタンと、フットボタンに膨出させた抜け止め突起と、抜け止め突起を当接し下方向に摺動可能に貫通させる開口部を開口させてボディと合着するキャップと、を備えたものであり、更に、マイクロスイッチの接続端子にリード線を接続し、リード線に表示灯を接続し、表示灯を目視できる窓部をキャップに設けたものである。
【考案の効果】
【０００８】
本考案のフットスイッチは、押しボタンタイプのフットスイッチで手で押圧するような所での使用も可能で、更に、スプリング受け部材をボディに組み込み回動カム手段を組設しているため足で押圧する荷重が直接ボディの底面にかからないためトラブルが無く、頑強さと正確さと動作のフィーリングが良好であり、信頼性を向上させたものである。
【考案を実施するための最良の形態】
【０００９】
本考案はフットスイッチに関するものであって、更に詳細には、床面や平坦な場所に載置し、又は、側壁等に固定し、コードの先端に接続された電気機器の電源を上方向から又は横方向から押圧又は解除することでオンオフさせるフットスイッチに関するものであり、請求項１に記載のフットスイッチは、皿状のボディ１と、該ボディ１の底面の略中央に組み込むスプリング受け部材２と、該スプリング受け部材２に立設した短円柱状のスプリング受けリブ１ａと、該スプリング受けリブ１ａの外周へ上方を突出させて捲着させ上方向に弾性を付与する主コイルスプリング３と、該主コイルスプリング３の上方に回動可能に嵌着させたカップ状のカム部材基部４ａを有したカム部材４と、該カム部材４の外周縁部へ上向きの鋸刃状に形成したカム部４ｂと、該カム部４ｂの基端側の胴周に複数の山型に膨出させたカム側操作部４ｃと、該カム側操作部４ｃと接触可能な板状スプリング操作部５ａと、該板状スプリング操作部５ａで押圧可能なマイクロスイッチ釦５ｂと、該マイクロスイッチ釦５ｂと前記板状スプリング操作部５ａとを突設して固定したマイクロスイッチ５と、該マイクロスイッチ５の一対の接続端子５ｃに接続し前記ボディ１から外に延設した配線コード６と、前記カム部３ｂと噛合するボタン側カム部７ａを下向きの鋸刃状に形成したカップ状のカムボタン７と、該カムボタン７のボタン側カム部７ａの外周に複数膨出させた回り止め兼抜け止めのためのストッパー７ｂと、該ストッパー７ｂを挿通させるストッパー受け部８ｃを内周に刻設すると共に前記カムボタン７を摺動可能に貫通させた円筒部８ａと平坦状の鍔部８ｂを形成したカムカバー８と、該鍔部８ｂの上側に上方に弾性を付与するように装着した補助コイルスプリング９と、該補助コイルスプリング９の上端を装着する第１の環状リブ１０ａとカムカバー８の円筒部８ａの頂部に当接する第２の環状リブ１０ｂとカムボタン７の頂部を押圧する第３の環状リブ１０ｃとを下面に突設したドーム状のフットボタン１０と、該フットボタン１０の外周に膨出させた抜け止め突起１０ｄと、該抜け止め突起１０ｄを内周縁部に当接し下方向に摺動可能に貫通させる開口部１１ａを略中央に開口させて前記ボディ１と合着するキャップ１１と、を備えたものである。
【００１０】
更に、請求項２に記載のフットスイッチは、請求項１に記載のフットスイッチにおいて、マイクロスイッチ５の一対の接続端子５ｃにリード線１２の一端を接続し、リード線１２の他端に表示灯１３を接続し、表示灯１３を外部から目視できる窓部１３ａをキャップ１１に設けたものである。
【実施例】
【００１１】
以下、本考案のフットスイッチの実施例の図面を用いて詳細に説明すると、図１は本考案のフットスイッチの実施例を説明するための分解斜視図であり、図２は本考案のフットスイッチの実施例を説明するための要部断面図であり、図３は本考案のフットスイッチの実施例を説明するためのキャップを外した状態の平面図である。
【００１２】
即ち、本考案のフットスイッチのボディ１は図示する如く、若干巾の側壁と楕円形の底面との皿状の合成樹脂で形成したもので、略中央に後述する回動カム手段４．７．８を組設すると共にマイクロスイッチ５を取着するためのカムカバー８を固定し、該マイクロスイッチ５の一対の接続端子５ｃに接続させた配線コード６を側壁から外部に延設して電気機器に接続すると共に、上面には後述するフットボタン１０とキャップ１１を合着させているものである。
【００１３】
次に、スプリング受け部材２はコ字状のもので立設した固定リブ等によりボディ１の底面の略中央に組み込れ、略中央には短円柱状のスプリング受けリブ２ａが立設するよう上方に向けているもので、胴周には後述する主コイルスプリング３を捲着させるものである。
【００１４】
次いで、主コイルスプリング３は金属製のもので、下方をスプリング受け部材２に立設させた短円柱状のスプリング受けリブ２ａに捲着させ上方はスプリング受けリブ２ａの上に突出する長さのものであり、後述するカム部材４のカップ状のカム部材基部４ａに挿通させて、絶えず上方に弾性を付与するようにしているものである。
【００１５】
更に、カム部材４はカップ状のカム部材基部４ａと後述するカム部４ｂとカム側操作部４ｃから成り、カム部材基部４ａの内側に主コイルスプリング３の上方を回動可能に挿通させているものである。
【００１６】
更には、カム部４ｂはカム部材４のカップ状のカム部材基部４ａの外周縁部の胴周へ上向きの鋸刃状に複数形成しているもので、実施例では８つの山型に形成しており、後述するカムボタン７のボタン側カム部７ａと噛合、離脱を繰り返すものである。
【００１７】
更に、カム側操作部４ｃはカム部４ｂの基端側の胴周に複数の頂部をアール形状とした山型に膨出させており、実施例では４カ所に放射状に膨出させているもので、後述するマイクロスイッチ５に突出した板状スプリング操作部５ａを回動することで押圧するものである。
【００１８】
次いで、板状スプリング操作部５ａは汎用されているマイクロスイッチ５に枢動可能に突設されているもので、カム側操作部４ｃが回動することで外側を押圧されて枢動し、後述するマイクロスイッチ釦５ｂを内側で押圧するものである。
【００１９】
次に、マイクロスイッチ釦５ｂはマイクロスイッチ５に出没自在に突設されている押圧式の釦であり、押圧された状態でマイクロスイッチ５がオンと成り、開放された状態でオフと成ったり、一度押圧されるとオンと成り、もう一度押圧するとオフと成るもので、その設定は任意なものであり、マイクロスイッチ釦５ｂは板状スプリング操作部５ａで押圧可能な位置に突設されているものである。
【００２０】
つまり、マイクロスイッチ５は汎用のもので良く、マイクロスイッチ釦５ｂと板状スプリング操作部５ａと後述する一対の接続端子５ｃを突設しており、ビスにより後述するカムカバー８に固定しているもので、後述する配線コード６に接続された電気機器の電源のオンオフをするスイッチである。
【００２１】
そして、配線コード６の夫々の一端はマイクロスイッチ５の一対の接続端子５ｃに夫々接続されており、他端は使用する電気機器に夫々接続しているもので、配線コード６はボディ１の側壁の両側の内側に配線して一側にコードアーマを取着して外に延設しているものである。
【００２２】
次に、カムボタン７はカップ状のもので、前記カム部４ｂと噛合するボタン側カム部７ａを開口部１１ａに下向きに形成しているもので、ボタン側カム部７ａの外周には後述するカムカバー８との摺動を制限すると共に回動させないように複数のストッパー７ｂが膨設させており、内側にカム部材４のカム部材基部４ａを摺動可能に挿通させると共に、後述するカムカバー８の円筒部８ａに摺動自在に挿通させるものである。
【００２３】
更に、カムカバー８は平坦状の鍔部８ｂと、該鍔部８ｂから立設した円筒部８ａとを一体に合成樹脂で形成したもので、円筒部８ａの外側の鍔部８ｂの上面に後述する補助コイルスプリング９を装着すると共に、円筒部８ａの内側にはカムボタン７を摺動自在に貫通させ、更には、鍔部８ｂの下面にはマイクロスイッチ５を固定し、カムカバー８は鍔部８ｂをビスによってボディ１に固定しているものである。
【００２４】
次には、補助コイルスプリング９は金属製もので円筒部８ａの外側の鍔部８ｂの上面に装着しており、上方は後述するフットボタン１０と当接させて、フットボタン１０を常時キャップ１１に当接するように上方に弾性を付与しているものである。
【００２５】
そして、フットボタン１０は略ドーム状のもので下面には３つの環状リブを形成して、外側の第１の環状リブ１０ａの外周には補助コイルスプリング９の上端を挿通させ、中間の第２の環状リブ１０ｂはカムカバー８の円筒部８ａの頂部と当接してフットボタン１０の摺動を停止させるもので、内側の第３の環状リブ１０ｃはカムボタン７の頂部を押圧するものであり、フットボタン１０の外周縁辺には後述するキャップ１１の開口部１１ａを挿通させて上方への抜落を防止する抜け止め突起１０ｄを複数箇所に膨出させているものである。
【００２６】
更に、キャップ１１はボディ１と合着させてビスで固定するものであり、一端に開口を設けて配線コード６を延設するためのコードアーマを挿通させると共に、天井の略中央には開口部１１ａを開口させてフットボタン１０を下方向に摺動可能に貫通させているものである。
【００２７】
更には、表示灯１３はネオン球又はＬＥＤでカムカバー８に固定しており、リード線１２によりマイクロスイッチ５の一対の接続端子５ｃに接続して、マイクロスイッチ５のオンオフを点滅により表示するものであり、フットボタン１０に窓部１３ａを形成して透明部材又は半透明部材を取着して外部から点滅が目視できるようにしているものである。
【００２８】
即ち、本考案のフットスイッチは、先ず、ボディ１の底部の立設された固定用リブの間にコ字状のスプリング受け部材２の両端を上方に向けて組み込み、スプリング受け部材２に設けた短円柱状のスプリング受けリブ２ａに主コイルスプリング３の下方を捲着させ、主コイルスプリング３の上方には回動可能にカム部材４のカム部材基部４ａに挿通させ、該カム部材４のカム部材基部４ａをカムボタン７を挿通させるものである。
【００２９】
そして、カムカバー８の鍔部８ｂの裏側にマイクロスイッチ５をビスにより固定し、マイクロスイッチ５の一対の接続端子５ｃと配線コード６を半田付け等の手段により電気的に接続をすると共に、表示灯１３のリード線１２とも接続をするもので、表示灯１３はカムカバー８の鍔部８ｂの上面に取り付け部を形成すると共に、リード線１２を貫通させて電気的に接続をするものである。
【００３０】
次いで、カムカバー８の円筒部８ａにカムボタン７を摺動自在に貫通させると共に、カムカバー８の鍔部８ｂをビスによりボディ１に固定して、更に、フットボタン１０をキャップ１１の開口部１１ａに下方から挿入すると共に、カムカバー８の鍔部８ｂとキャップ１１との間に補助コイルスプリング９を介装して、ボディ１と合着させてビスにより固定するものである。
【００３１】
前述のようにして組み立てた本考案のフットスイッチは、足でフットボタン１０を押圧することにより、キャップ１１は補助コイルスプリング９の弾性に抗して下方に摺動し、キャップ１１の摺動に伴って第３の環状リブ１０ｃにより押圧されカムボタン７も下方に摺動するもので、この時、カムボタン７に形成したボタン側カム部７ａがカム部材４のカム部４ｂと噛合すると共に、第２の環状リブ１０ｂがカムカバー８の円筒部８ａの頂部に接触して摺動を停止するものである。
【００３２】
この時、ボタン側カム部７ａとカム部４ｂとの山と谷がずれており、噛合させることによりカム部材４は回動され膨出させたカム側操作部４ｃがマイクロスイッチ５の板状スプリング操作部５ａを押圧するもので、この押圧により板状スプリング操作部５ａが弾性に抗して枢動しマイクロスイッチ釦５ｂを押圧してマイクロスイッチ５がオン状態となるものであり、実施例ではカム部材４は４５度回動されるものである。
【００３３】
そして、キャップ１１から足を離すと補助コイルスプリング９の弾性によってキャップ１１が持ち上がると共に、主コイルスプリング３の弾性によりカム部材４とカムボタン７を持ち上げるものであるが、この時、ボタン側カム部７ａとカム部４ｂとの噛合が開放されるもので、開放によって板状スプリング操作部５ａが弾性により元の位置に戻ることから枢動してマイクロスイッチ釦５ｂの押圧を開放してマイクロスイッチ５がオフ状態と成ると同時に、板状スプリング操作部５ａの弾性によりカム側操作部４ｃを押圧してカム部材４を回動させて次の押圧に備え押圧解放を繰り返すものであり、実施例ではこの時４５度カム部材４を回動させるものである。
【産業上の利用可能性】
【００３４】
本考案のフットスイッチは、、家庭用に、業務用に用いるもので、足或いは手で押圧することにより、短時間で可動停止を繰り返すミシンや医療器、工作機器、公衆トイレの開閉扉等の電気機器のスイッチとして用いるものである。  
【図面の簡単な説明】
【００３５】
【図１】図１は本考案のフットスイッチの実施例を説明するための概要平面図である。
【図２】図２は本考案のフットスイッチの実施例を説明するための概要底面図である。
【図３】図３は本考案のフットスイッチの実施例を説明するための要部断面図である。
【符号の説明】
【００３６】
１      ボディ
２      スプリング受け部材
２ａ    スプリング受けリブ
３      主コイルスプリング
４      カム部材
４ａ    カム部材基部
４ｂ    カム部
４ｃ    カム側操作部
５      マイクロスイッチ
５ａ    板状スプリング操作部
５ｂ    マイクロスイッチ釦
５ｃ    接続端子
６      配線コード
７      カムボタン
７ａ    ボタン側カム部
７ｂ    ストッパー
８      カムカバー
８ａ    円筒部
８ｂ    鍔部
８ｃ    ストッパー受け部
９      補助コイルスプリング
１０    フットボタン
１０ａ  第１の環状リブ
１０ｂ  第２の環状リブ
１０ｃ  第３の環状リブ
１０ｄ  抜け止め突起
１１    キャップ
１１ａ  開口部
１２    リード線
１３    表示灯
１３ａ  窓部
【図１】
0003109938.tif 000003
【図２】
0003109938.tif 000004
【図３】
0003109938.tif 000005